(57)【特許請求の範囲】
【請求項１】
傘を通す貫通孔が複数個形成され、中間側板側の端部に天板の厚み方向に起立する突起を設けた横並び２枚の天板、該天板と対峙する２枚の底板及び該天板を支持する２枚の側板と支持軸を上部に備える１枚の中間側板の合計７枚の板と、
該天板の突起を収容する底面開口の突起収容部を有し、該中間側板の支持軸に上方位置と下方位置間で上下移動自在に遊嵌するハンドルと、を備え、
該中間側板を固定リンクとして、一方の側の１枚の天板、１枚の側板及び１枚の底板の３つのリンクと該中間側板を固定リンクとして、他方の側の１枚の天板、１枚の側板及び１枚の底板の３つのリンクは、それぞれ平行リンクを構成し、
隣接する板間の内角が９０度であると共に、該ハンドルを下方位置にして、該突起を該突起収容部に収容する使用状態と、
該ハンドルを上方位置にして、該突起を該突起収容部から外して、該７枚の板が略平行となる折り畳み状態と、をとり、
該突起を該突起収容部に収容する使用状態において、該突起と該突起収容部とが係合状態にあることを特徴とする折り畳み傘立て。
【請求項２】
該突起収容部は、３枚の長尺状の板材から形成される底無箱状物であることを特徴とする請求項１記載の折り畳み傘立て。
【請求項３】
該ハンドルは、支持軸に遊嵌する軸孔を有し、該軸孔は、該突起収容部の両端部に垂下状の側板に形成される貫通孔であることを特徴とする請求項１又は２記載の折り畳み傘立て。
【請求項４】
該軸孔は縦長の孔であり、該孔の下端と該中間側板の支持軸が当接することで、該ハンドルの上方位置が決まることを特徴とする請求項３記載の折り畳み傘立て。
【発明の詳細な説明】
【技術分野】
【０００１】
本発明は、コンビニや小売店等において、好適に使用できる幅収納スペースをとらない折り畳み傘立てである。
【０００２】
多くの買い物客が訪れるスーパー、量販店等においては、雨天の日、ビニール袋を用意し、顧客は雨で濡れた傘をビニール袋に入れて持ったまま、自由に買い物をするのが一般的となっている。一方、コンビニや小売店等、比較的少人数の来客に対しては、従来型の傘立てを提供している。
【０００３】
従来の固定傘立ては、不使用時、場所を取ると共に、美観を害する。このため、折り畳み傘立てが好適に使用されている。特開２０１１−２４８５２号公報には、上下に延びかつ横方向に離れた一対の支柱と、一対の支柱に横方向両端部が支持され、傘保持部を有する傘保持フレームとを備え、各支柱には、軸回りに回動可能なリンク部材が連結されるとともにガイド溝が形成され、傘保持フレームは、両端部後方寄りのガイド部がガイド溝にスライド可能に係合し、両端部のガイド部よりも前方側が軸を中心としてリンク部材に回動可能に連結されることにより、ガイド部がガイド溝の下端に位置して前方部が下がる傾斜状の使用状態と、ガイド部がガイド溝の上方側にスライドするとともに軸がリンク部材の軸回りの回動に伴って支柱に近づくことにより、支柱に沿って折り畳まれる折り畳み状態と、をとる傘立てが開示されている。この傘立ては、使用時は、傘立て部が前方下り傾斜姿勢をとり、折り畳み時は、前後方向が縮小状態となるものである。
【０００４】
また、特開２００１−８８１１号公報には、台部材と、この台部材に回転可能に連結されるとともに、当該台部材よりも下方位置で相互に回転可能に連結された第１及び第２の脚フレームとを備え、前記第１及び第２の脚フレームの少なくとも何れか一方は、上部フレーム部と、この上部フレーム部の下部側に位置する下部フレーム部とにより構成されるとともに、これら各フレーム部が相互にテレスコピックに組み合わさて伸縮可能に設けられ、前記上部フレーム部を上方に引き操作したときに、当該上部フレーム部が下部フレーム部に対して伸長する方向に移動して前記台部材を折り畳み方向に回転可能に設けたことを特徴とする折り畳み保持台が開示されている。この折り畳み保持台は、傘立て部が前後同一面にあり、上部フレームが伸長すると共に、前後方向に縮小される。
【０００５】
また、特開平０８−１７３２９９号公報には、収容される傘の上端近傍を支持し得る上枠体と、前記傘の下端近傍を支持し得る下枠体と、非使用時において相互に略重なり合う位置まで相対的に回動し得るように上枠体と下枠体とを連結し、かつ使用時にあっては上枠体と下枠体とを所定位置に支持する支柱と、使用時において上枠体と下枠体との支柱に対する回動を禁止するロック機構と、該ロック機構の作動を解除する解除機構と、該解除機構の作動を禁止する解除禁止機構とを具備してなり、前記上枠体及び前記下枠体を所定幅を有するスペーサを介して支柱に支持させてなることを特徴とする傘立てが開示されている。この傘立ては、傘立て部が前後同一面にあると共に、使用時状態を保持するロック機構と、ロック機構の作動を解除する解除機構を有する折り畳み傘立てである。
【先行技術文献】
【特許文献】
【０００６】
【特許文献１】特開２０１１−２４８５２号公報
【特許文献２】特開２００１−８８１１号公報
【特許文献３】特開平０８−１７３２９９号公報
【発明の概要】
【発明が解決しようとする課題】
【０００７】
しかしながら、特開２０１１−２４８５２号公報の傘立ては、使用時、傘立て部が前方下り傾斜姿勢をとり、傘立て部が前後同一面にある傘立てではない。また、特開２００１−８８１１号公報の折り畳み保持台は、傘立て部が前後同一面にある傘立てではあるものの、折り畳み時に傾斜姿勢の部材が存在するため、収納スペースを採るという問題がある。また、特開平０８−１７３２９９号公報は、上下枠体と前後枠体と左右枠体の６つの枠体の折り畳みであり、各枠体が平行状態とならず、また、把手する部材が特定されていないため、持ち運びが不便であるという問題がある。
【０００８】
従って、本発明の目的は、傘立て部が前後同一面にある傘立てであって、折り畳みが容易で且つ折り畳み時に各部材同士が平行姿勢を採るコンパクト収納が可能な折り畳み傘立てを提供することにある。
【０００９】
かかる実情において、本発明者等は鋭意検討を行った結果、２枚の天板と、２枚の底板と、３枚の側板の都合７枚の板に対して一対の平行リンクを形成し、且つ中間側板に特定のハンドルを付設し、特定の使用状態と特定の折り畳み状態を採るものであれば、傘立て部が前後同一面にある傘立てであって、折り畳みが容易で且つ折り畳み時に各部材が鉛直姿勢を採るコンパクト収納が可能なものであることを見出し、本発明を完成するに至った。
【００１０】
すなわち、本発明は、傘を通す貫通孔が複数個形成され、中間側板側の端部に天板の厚み方向に起立する突起を設けた横並び２枚の天板、該天板と対峙する２枚の底板及び該天板を支持する２枚の側板と支持軸を上部に備える１枚の中間側板の合計７枚の板と、該天板の突起を収容する底面開口の突起収容部を有し、該中間側板の支持軸に上方位置と下方位置間で上下移動自在に遊嵌するハンドルと、を備え、該中間側板を固定リンクとして、一方の側の１枚の天板、１枚の側板及び１枚の底板の３つのリンクと該中間側板を固定リンクとして、他方の側の１枚の天板、１枚の側板及び１枚の底板の３つのリンクは、それぞれ平行リンクを構成し、隣接する板間の内角が９０度であると共に、該ハンドルを下方位置にして、該突起を該突起収容部に収容する使用状態と、該ハンドルを上方位置にして、該突起を該突起収容部から外して、該７枚の板が略平行となる折り畳み状態と、をとることを特徴とする折り畳み傘立てを提供するものである。
【発明の効果】
【００１１】
本発明によれば、傘立て部が前後同一面にある傘立てであって、折り畳みが容易で且つ折り畳み時に各部材同士が平行姿勢を採るコンパクト収納が可能である。
【図面の簡単な説明】
【００１２】
【図１】本発明の実施の形態における折り畳み傘立ての斜視図である。
【図２】図１のＸ−Ｘ線に沿って見た折り畳み傘立ての断面図である。
【図３】折り畳み途中の折り畳み傘立ての斜視図である。
【図４】図３の折り畳み傘立ての断面図である。
【図５】折り畳まれた折り畳み傘立ての斜視図である。
【図６】図５の折り畳み傘立ての断面図である。
【図７】図１の折り畳み傘立てを構成する一方の側の平行リンクの斜視図である。
【図８】図７の平行リンクの他の斜視図である。
【図９】図７の平行リンクを構成する天板の斜視図である。
【図１０】図７の平行リンクを構成する底板の斜視図である。
【図１１】図７の平行リンクを構成する側板の斜視図である。
【図１２】図７の平行リンクを構成する中間側板の斜視図である。
【図１３】図２の折り畳み傘立てにおいて、ハンドルが上方位置にある断面図である。
【図１４】ハンドルの斜視図である。
【発明を実施するための形態】
【００１３】
次に、本発明の実施の形態における折り畳み傘立てを図１〜図１４を参照して説明する。折り畳み傘立て１０は、横並び２枚の天板１ａ、１ｂ、天板１ａ、１ｂと対峙する２枚の底板２ａ、２ｂ及び天板１ａ、１ｂを支持する２枚の側板３ａ、３ｃと支持軸３２を上部に備える１枚の中間側板３ｂの合計７枚の板と、支持軸３２に上方位置と下方位置間で上下移動自在に遊嵌するハンドル４と、を有する。折り畳み傘立て１０は、樹脂製とすることが、強度を保持しつつ、軽量化できる点で好ましい。
【００１４】
２枚の天板１ａ、１ｂは、折り畳まれた傘を通して、支持する機能を有する。このため、２枚の天板１ａ、１ｂには、上下に貫通する貫通孔９が多数、本例では、１枚につき９個の貫通孔９が形成されている。また、２枚の天板１ａ、１ｂは、所定の厚みを有し、裏部は、リブ構造とすることで、軽量化と強度保持を図っている。また、天板１ａ、１ｂの長手方向における外側の端部はそれぞれ側板３ａ、３ｃと、中央の端部は中間側板３ｂとそれぞれ回動自在に結合している。
【００１５】
天板１ａ、１ｂの反中間側板側の端部５ａ、５ｂは、辺部の中央部を切り欠くことで、面が内側を向く内側壁面１５１が形成されており、内側壁面１５１の上部には、軸端が係合する支持孔１５２が形成されている（図９参照）。この支持孔１５２に側板３ａ、３ｃの軸端部３１ａが係合することで、天板１ａと側板３ａ及び天板１ｂと側板３ｃは、互いが直交する形状から略平行となる形状まで回動しながら展開する。
【００１６】
天板１ａ、１ｂの中間側板側の端部は、辺部の中央部を切り欠くことで、突起が形成された軸受部１２を形成するスペースを確保している。すなわち、切り欠きの端部１５３には、中間側板３ｂの支持軸３２に嵌る突起付き軸受部１２が形成されている（図９参照）。軸受部１２は、開口が下を向く概ね半割状円筒部材１２１であり、中間側板３ｂの上部の支持軸３２に嵌り、支持軸３２を中心として回動する。また、半割状円筒部材１２１の上面には、天板１ａの厚み方向に起立する先細状の突起１３が付設されている。また、突起１３の内側は、外角が略９０度となるような角部１４が形成されている。角部１４には、使用状態において、ハンドル４の突起収容部４３の下端が当接する。これより、ハンドルの下方位置が決まる。なお、天板１ａの中間側板側の端部の切り欠き部の辺方向（長手方向）における長さは、突起付き軸受部１２が少なくとも４つ入るスペースであり、天板１ａでは、１つが切り欠き部の端に形成され、２つ目が１つより少し余分を採った位置に離れて形成されている。天板１ｂは、天板１ａと同じものであるため、突起付き軸受部１２が付設される側を突き合せ、突起付き軸受部１２を中間棚板３ｂの上方の支持軸３２に嵌合することで、１つの軸棒に４つの突起付き軸受部１２が並ぶことになる。また、この際、天板１ａの突起付き軸受部１２の角部１４を形成する垂直面と、天板１ｂの突起付き軸受部１２の角部１４を形成する垂直面との水平間距離は、突起収容部４３の内部空間に入る寸法である。これにより、使用状態時、ハンドル４を下すことで、突起１３が突起収容部４３の内部空間に入り、中間側板３ｂに対して天板１ａ、１ｂをロックすることができる。
【００１７】
底板２ａ、２ｂは、傘の下端を支持すると共に、雨の滴を受ける皿機能を有するものである。本例では、底板２ａ、２ｂの大部分が凹部２２となっている。また、底板２ａ、２ｂの反中間側板側の端部の上面には、起立状の軸受部２３が形成されている。軸受部２３は、側板面が互いに対峙する側板２３１の内側に支持孔２３２を形成したものである（図１０参照）。この支持孔２３２に側板３ａ、３ｃの軸端部３１ｂが係合することで、底板２ａと側板３ａ及び底板２ｂと側板３ｃは、互いが直交する形状から略平行となる形状まで回動しながら展開する。なお、辺方向に延びる起立壁２３３により、底板２ａ、２ｂは側板３ａ、３ｃとは内角で９０度以上には展開しないようにしている。
【００１８】
底板２ａ、２ｂの中間側板側の端部は、辺部の中央部を切り欠くことで、軸受部２４を形成するスペース２５を確保している。すなわち、切り欠き２５の端部やや下方側には、中間側板３ｂの下方の軸３３に嵌る軸受部２４が形成されている（図１０参照）。軸受部２４は、開口が下を向く概ね半割状円筒部材２４１であり、中間側板３ｂの下部の軸３３に嵌り、軸３３を中心として回動する。なお、底板２ａの中間側板側の端部の切り欠き部２５の辺方向（長手方向）における長さは、軸受部２４が４つ入るスペースであり、底板１ａでは、１つが切り欠き部２５の辺方向の端に形成され、２つ目が１つより少し余分を採った位置に離れて形成されている。底板２ｂは、底板２ａと同じものであるため、軸受部２４が付設される側を突き合せ、軸受部２４を中間棚板３ｂの下方の軸３３に嵌合することで、１つの軸棒に４つの軸受部２４が並ぶことになる。
【００１９】
側板３ａは、図１１に示すように、板状本体３４の上部には、側方向の外側に突出する突起状の一対の軸３１ａを有し、板状本体３４の下部には、側方向の外側に突出する突起状の一対の軸３１ｂを有する。側板３ｃは、側板３ａと同じものである。側板３ａ、３ｃの一対の軸３１ａは天板１ａ、１ｂの支持孔１５２と回動自在に嵌合する。
【００２０】
中間側板３ｂは、図１２に示すように、板状本体３１の上部には、短辺方向に延びる棒状の支持軸３２が短辺長さよりやや大の長さで、板状本体部３１の上端よりやや離間して形成されている。これにより、天板１ａ、１ｂの都合４つの突起付き軸受部１２の嵌合を可能にすると共に、ハンドル４の支持も可能にしている。また、支持軸３２の長さ方向の中央には、中間軸受部３２１が形成されている。板状本体３１の下部には、短辺方向に延びる棒状の軸３３がほぼ短辺長さと同じ長さで、板状本体部３１の下端よりやや離間して形成されている。これにより、底板２ａ、２ｂの都合４つの軸受部２４の嵌合を可能にしている。
【００２１】
ハンドル４は、折り畳み後、持ち運びの際、把手部分となると共に、使用状態においては、ロック機能を有するものである。図１４に示すように、ハンドル４は、把手部４１と、把手部４１の下方に位置する底面開口の直方体形状の突起収容部４３と、突起収容部４３の両端部には、下方に垂下する長手方向に貫通する貫通孔４６が形成された側板４５とを有する。把手部４１は手で握る部分であり、使用状態時には、下方に押し下げる際に外力を作用させる部分であり、突起収容部４３は、３枚の長尺状の板材から形成される底無箱状物で、内２枚の長尺状板材４３ａ、４３ｂを所定間隔離間させて、突起１３が入る収容スペース４４を確保すると共に、他の１枚の長尺状板材である天板（図１４では表われない）には、把手部４１が取り付けられている。また、側板４５の貫通孔４６は、縦長状であり、中間側板３ｂの軸３２の端部が嵌ることになる。貫通孔４６の縦長寸法は、中間側板３ｂの軸３２の軸径より２〜３倍程度大であり、ハンドル４の上下移動を可能としている。すなわち、使用状態において、ハンドル４を押し込めば、天板１ａ、１ｂの突起１３が突起収容部４３に入り込むと共に、突起収容部４３を構成する長尺状板材４３ａ、４３ｂの下端外角が突起１３の角１４に嵌り、突起付き軸受部１２の回動を規制する。一方、折り畳む際、ハンドル４を引き上げれば、突起１３が突起収容部４３から外れることになり、ロックが解除され、平行リンクが自由運動となる。
【００２２】
折り畳み傘立て１０は、中間側板３ｂを固定リンクとして、一方の側の１枚の天板１ａ、１枚の側板３ａ及び１枚の底板２ａの３つのリンクと中間側板３ｂを固定リンクとして、他方の側の１枚の天板１ｂ、１枚の側板３ｃ及び１枚の底板２ｂの３つのリンクは、それぞれ平行リンクを構成する。
【００２３】
すなわち、図１に示すように、使用状態においては、一対の平行リンクは、隣接する板（リンク）間の内角が９０度である。この場合、天板１ａ、１ｂの突起１３は上方に起立している。この状態において、ハンドル４は下方位置であり、突起１３が突起収容部４３の内部空間４４に収容されている。このため、中間側板３ｂに対して、天板１ａ、１ｂは、自由運動ができず、その姿勢がロックされた状態である。また、中間側板３ｂに対して天板１ａ、１ｂが固定状態にあるため、側板３ａ、３ｃ及び底板２ａ、２ｂも自由運動が阻害され、固定状態にある。このため、折り畳み傘立て１０は、天板１ａ、１ｂが水平姿勢となる傘立て部（貫通孔９）が前後同一面にある傘立てを構成でき、傘の出し入れ等があったとしても、容易に変形せず、組立状態を保持できる。
【００２４】
次いで、折り畳み傘立て１０を折り畳む方法について説明する。先ず、図１３に示すように、ハンドル４を引き上げる。この際、ハンドル４の貫通孔４６の下端と中間側板３ｂの上方の支持軸３２が当接する位置、すなわち、上方位置でハンドル４は停止する。この状態において、天板１ａ、１ｂの突起１３は、突起収容部４３から外れ、一対の平行リンクは、自由運動が可能となる。中間側板３ｂはハンドル４により吊り下げられた状態であり、天板１ａ、１ｂ、側板３ａ、３ｃ及び底板２ａ、２ｂは、いずれも重力により、下方に垂下した状態となる（図３）。そして、遂には、図５及び図６に示すように、７枚の板（リンク）は、略平行となる折り畳み状態となる。また、天板１ａ、１ｂの突起１３は、天板１ａ、１ｂの姿勢に連動するため、折り畳み姿勢が鉛直方向の場合、突起１３は横方向に延びた状態となっている。この状態において、ハンドル４を下方に移動させても、突起１３は、突起収容部４３には入らない。折り畳み状態の折り畳み傘立て１０は、幅方向にコンパクト収納されており、且つハンドル４を持って持ち運び自在である。
【００２５】
折り畳まれた折り畳み傘立て１０を使用状態にするには、上記の折り畳み方法と逆の順序で行なえばよい。すなわち、図５及び図６の折り畳み姿勢の折り畳み傘立て１０を設置場所に置き、側板３ａ、３ｃを外側に開くようにする。すると、天板１ａ、１ｂ及び底板２ａ、２ｂも平行リンクを構成するため、水平方向に開くようになる（図３及び図４）。そして、側板３ａ、３ｃを外側に大きく開くことで、一対の平行リンクは隣接するリンク（板材）の内角が直角となる使用状態の姿勢を採る。そして、ハンドル４を下方に下ろせば、突起収容部４３が、天板１ａ、１ｂの突起１３を収容し、一対の平行リンクが固定される。
【００２６】
折り畳み傘立て１０は、上記実施の形態例に限定されず、種々の変形を採ることができる。すなわち、側板３ａ、３ｃ、中間側板３ｂ及び底板２ａ、２ｂの形状は特に制限されず、枠形状のものであってもよい。また、突起１３の形状は、先細り形状に限定されず、矩形断面あるいは不定形断面など、種々の形状を採ることができる。この場合、突起収容部４３の形状は、突起１３の形状に対応したものとなる。
【産業上の利用可能性】
【００２７】
本発明によれば、コンビニや小売店等において、傘立て部が前後同一面にある傘立てを形成できる。また、ハンドルを持ち上げるのみで、折り畳めるため、折り畳み作業が容易である。また、折り畳み時に各部材同士が平行姿勢を採るコンパクト収納となるため、収納スペースを採らない。
【符号の説明】
【００２８】
１ａ、１ｂ    天板
２ａ、２ｂ    底板
３ａ、３ｃ    側板
３ｃ          中間側板
４            ハンドル
９            貫通孔
１０            折り畳み傘立て
１３            突起
４３            突起収容部
【図１】
0005985254.tif 000002
【図２】
0005985254.tif 000003
【図３】
0005985254.tif 000004
【図４】
0005985254.tif 000005
【図５】
0005985254.tif 000006
【図６】
0005985254.tif 000007
【図７】
0005985254.tif 000008
【図８】
0005985254.tif 000009
【図９】
0005985254.tif 000010
【図１０】
0005985254.tif 000011
【図１１】
0005985254.tif 000012
【図１２】
0005985254.tif 000013
【図１３】
0005985254.tif 000014
【図１４】
0005985254.tif 000015